(57)【要約】【課題】大型化を抑制しつつスイッチング素子の放熱性を高めることができる電動圧縮機を提供すること。【解決手段】電動圧縮機１０のハウジング１１の外面には第１取付脚部２３及び第２取付脚部２４が設けられ、カバー１４の天板部１４ｂの外面１４ｅには第３取付脚部２５が設けられている。電動圧縮機１０は、第３取付脚部２５の外面から天板部１４ｂの外面１４ｅに延在した第２リブ４２を有する。スイッチング素子は、基板に設定された素子配置領域Ｄに配置されている。天板部１４ｂを平面視した場合、第２リブ４２は、その一部が素子配置領域Ｄに重合する位置に配置されている。【選択図】図３
2019178673.tif 000002
【特許請求の範囲】
【請求項１】
回転軸と、
前記回転軸を回転させる電動モータと、
前記回転軸が回転することにより駆動して冷媒を圧縮する圧縮部と、
前記回転軸と前記電動モータと前記圧縮部とを収容するハウジングと、
直流電圧を交流電圧に変換しつつ前記電動モータに印加するスイッチング素子が実装される基板と、
前記ハウジングの外面に取り付けられ前記ハウジングとともに前記基板を収容する収容空間を形成し、前記基板に対し間隔を空けて平行に対向する天板部を有するカバーと、
前記ハウジングの外面、及び前記天板部の外面に設けられ、ボルトが挿通されるボルト挿通孔を有する取付脚部と、
前記ボルト挿通孔が前記取付脚部を貫通する第１方向に交差した第２方向に沿って前記取付脚部の外面から前記天板部の外面に延在したリブと、を有し、
前記スイッチング素子は、前記基板に設定された素子配置領域に配置され、
前記天板部を平面視した場合、前記リブは、少なくとも一部が前記素子配置領域に重合する位置に配置されていることを特徴とする電動圧縮機。
【請求項２】
前記リブは、前記第１方向に沿って間隔を空けて複数並設され、前記天板部には、前記第１方向に隣り合う前記リブに挟まれた領域が形成されており、前記天板部を平面視した場合、前記リブ、及び前記リブに挟まれた領域は前記素子配置領域に対向している請求項１に記載の電動圧縮機。
【請求項３】
前記天板部は前記ボルト挿通孔に向けて凹む凹部を有する請求項１又は請求項２に記載の電動圧縮機。
【発明の詳細な説明】
【技術分野】
【０００１】
本発明は、スイッチング素子を備える電動圧縮機に関する。
【背景技術】
【０００２】
例えば特許文献１に開示されているように、電動圧縮機は、冷媒を圧縮して吐出する圧縮部と、圧縮部を駆動させる電動モータと、電動モータを駆動させるためのモータ駆動回路とを備えている。モータ駆動回路は、ハウジングの外面に取り付けられたカバーとハウジングの外面とともに区画された収容空間に収容されている。また、モータ駆動回路は、基板に実装された複数のスイッチング素子を有する。そして、各スイッチング素子のスイッチング動作によって、バッテリ（直流電源）からの直流電圧が交流電圧に変換され、交流電圧が駆動電圧として電動モータに印加されることにより、電動モータの駆動が制御される。
【先行技術文献】
【特許文献】
【０００３】
【特許文献１】特開２０１６−１５３６０６号公報
【発明の概要】
【発明が解決しようとする課題】
【０００４】
ところで、スイッチング素子は、スイッチング動作によって発熱する。そして、スイッチング素子のスイッチング動作により生じる発熱量が多くなって、スイッチング素子の温度が、スイッチング素子の耐熱温度を越えてしまうと、スイッチング素子が破損してしまう虞がある。スイッチング素子の温度上昇を抑制するため、例えば、収容空間を区画したカバーを大型化し、カバーの表面積を広くすることなどが考えられるが、電動圧縮機が大型化してしまい好ましくない。
【０００５】
本発明の目的は、大型化を抑制しつつスイッチング素子の放熱性を高めることができる電動圧縮機を提供することにある。
【課題を解決するための手段】
【０００６】
上記問題点を解決するための電動圧縮機は、回転軸と、前記回転軸を回転させる電動モータと、前記回転軸が回転することにより駆動して冷媒を圧縮する圧縮部と、前記回転軸と前記電動モータと前記圧縮部とを収容するハウジングと、直流電圧を交流電圧に変換しつつ前記電動モータに印加するスイッチング素子が実装される基板と、前記ハウジングの外面に取り付けられ前記ハウジングとともに前記基板を収容する収容空間を形成し、前記基板に対し間隔を空けて平行に対向する天板部を有するカバーと、前記ハウジングの外面、及び前記天板部の外面に設けられ、ボルトが挿通されるボルト挿通孔を有する取付脚部と、前記ボルト挿通孔が前記取付脚部を貫通する第１方向に交差した第２方向に沿って前記取付脚部の外面から前記天板部の外面に延在したリブと、を有し、前記スイッチング素子は、前記基板に設定された素子配置領域に配置され、前記天板部を平面視した場合、前記リブは、少なくとも一部が前記素子配置領域に重合する位置に配置されていることを要旨とする。
【０００７】
これによれば、スイッチング素子のスイッチング動作によって生じる熱は、カバーの天板部に伝わる。天板部に設けたリブは、スイッチング素子の配置された素子配置領域に重合しているため、天板部に伝わった熱をリブに効率良く伝えることができ、リブから収容空間外へ放出することができる。そして、リブは、取付脚部を補強するために設けられている。したがって、スイッチング素子の温度上昇を抑制するため、例えば、収容空間を区画したカバーを大型化したりする必要がなく、電動圧縮機の大型化を抑制しつつスイッチング素子の放熱性を高めることができる。
【０００８】
また、電動圧縮機について、前記リブは、前記第１方向に沿って間隔を空けて複数並設され、前記天板部には、前記第１方向に隣り合う前記リブに挟まれた領域が形成されており、前記天板部を平面視した場合、前記リブ、及び前記リブに挟まれた領域は前記素子配置領域に対向していてもよい。
【０００９】
これによれば、スイッチング素子のスイッチング動作によって生じる熱は、カバーの天板部のうち、リブと重合する位置、及びリブで挟まれた領域に伝わる。そして、天板部に伝わった熱を、天板部から複数のリブに効率良く伝えることができ、天板部に伝わった熱を収容空間外へ効率良く放出することができる。
【００１０】
また、電動圧縮機について、前記天板部は前記ボルト挿通孔に向けて凹む凹部を有していてもよい。
これによれば、スイッチング素子のスイッチング動作によって生じる熱は、凹部の内側から取付脚部に伝わる。取付脚部にはリブが連結されているため、取付脚部に伝わった熱をリブに効率良く伝え、リブから放出できる。
【発明の効果】
【００１１】
本発明によれば、大型化を抑制しつつスイッチング素子の放熱性を高めることができる。
【図面の簡単な説明】
【００１２】
【図１】実施形態の電動圧縮機の側断面図。
【図２】収容空間に収容されたモータ駆動回路の基板及び素子配置領域を示す正面図。
【図３】実施形態の電動圧縮機の取付状態であり、天板部を平面視した図。
【図４】実施形態の電動圧縮機の第３取付脚部及びリブを示す部分斜視図。
【図５】カバーを内面側から示す正面図。
【発明を実施するための形態】
【００１３】
以下、電動圧縮機を具体化した一実施形態を図１〜図５にしたがって説明する。
図１に示すように、電動圧縮機１０のハウジング１１は、一端（図１の左端）に開口１２ａが形成された有底筒状をなすモータハウジング１２と、モータハウジング１２の一端に連結された有底筒状をなす吐出ハウジング１３と、を有している。モータハウジング１２の底壁１２ｂ側には、一端（図１の左端）に開口１４ａが形成された有底筒状をなすカバー１４が取り付けられている。モータハウジング１２、吐出ハウジング１３、及びカバー１４それぞれはアルミニウム合金のダイカスト鋳物によって製作されている。
【００１４】
モータハウジング１２と吐出ハウジング１３との間には吐出室Ｓ１が区画されている。モータハウジング１２と吐出ハウジング１３とは、４本のボルトＢ１（図１では２本のボルトＢ１のみ図示）によって共締めされるとともに、モータハウジング１２とカバー１４とは、６本のボルトＢ２（図１では３本のボルトＢ２のみ図示）によって共締めされている。モータハウジング１２と吐出ハウジング１３との間にはガスケットＧ１が介装されるとともに、モータハウジング１２とカバー１４との間にはガスケットＧ２が介装されている。
【００１５】
吐出ハウジング１３の底壁には吐出ポート１５が形成されており、吐出ポート１５には図示しない外部冷媒回路が接続されている。モータハウジング１２の周壁１２ｃには図示しない吸入ポートが形成されており、吸入ポートには外部冷媒回路が接続されている。
【００１６】
モータハウジング１２内には回転軸１６が収容されている。さらに、モータハウジング１２内には、冷媒を圧縮する圧縮部１７と、圧縮部１７を駆動する電動モータ１８とが収容されている。電動モータ１８は、回転軸１６を駆動させる。圧縮部１７は、回転軸１６が回転することにより駆動する。電動モータ１８は、圧縮部１７よりもモータハウジング１２の底壁１２ｂ（図１の右側）寄りに配置されている。
【００１７】
モータハウジング１２内において、圧縮部１７と電動モータ１８との間には軸支部材１９が設けられている。軸支部材１９の中央部には、回転軸１６の一端部が挿通される挿通孔１９ａが形成されている。挿通孔１９ａと回転軸１６の一端部との間にはラジアルベアリング１６ａが設けられている。回転軸１６の一端部は、ラジアルベアリング１６ａを介して軸支部材１９に回転可能に支持されている。
【００１８】
モータハウジング１２の底壁１２ｂには、軸受部１２ｄが凹設されている。軸受部１２ｄの内側には回転軸１６の他端部が挿入されている。軸受部１２ｄと回転軸１６の他端部との間にはラジアルベアリング１６ｂが設けられている。回転軸１６の他端部は、ラジアルベアリング１６ｂを介して軸受部１２ｄに回転可能に支持されている。
【００１９】
圧縮部１７は、モータハウジング１２内に固定された固定スクロール１７ａと、固定スクロール１７ａに対向配置された可動スクロール１７ｂとを備える。固定スクロール１７ａと可動スクロール１７ｂとの間には容積変更可能な圧縮室Ｓ３が区画形成されている。圧縮室Ｓ３の容積変更により圧縮された冷媒は、吐出室Ｓ１に吐出される。電動モータ１８は、回転軸１６と一体的に回転するロータ２１（回転子）と、ロータ２１を取り囲むようにモータハウジング１２の内周面に固定されたステータ２２（固定子）とから構成されている。
【００２０】
図１又は図３に示すように、電動圧縮機１０のハウジングには、エンジンＥ（被取付体）に電動圧縮機１０を取り付けるために第１〜第３取付脚部２３〜２５が設けられている。モータハウジング１２の周壁１２ｃの上部外面には、回転軸１６の径方向に沿って細長に延びる筒状の第１取付脚部２３が一体形成されるとともに、第１取付脚部２３内には、回転軸１６の径方向に沿って延びる第１ボルト挿通孔２３ａが形成されている。また、モータハウジング１２の周壁１２ｃの下部外面には、回転軸１６の径方向に沿って細長に延びる筒状の第２取付脚部２４が一体形成されるとともに、第２取付脚部２４内には、回転軸１６の径方向に沿って延びる第２ボルト挿通孔２４ａが形成されている。
【００２１】
また、カバー１４には、回転軸１６の径方向に沿って細長に延びる筒状の第３取付脚部２５が一体形成されている。第３取付脚部２５は、長手方向の一端側に第１筒状部２５１を備え、長手方向の他端側に第２筒状部２５２を備える。第３取付脚部２５は、長手方向に沿った第１筒状部２５１と第２筒状部２５２の間に、肉抜き部２５３を備える。第３取付脚部２５には、第１筒状部２５１及び第２筒状部２５２を貫通する第３ボルト挿通孔２５ａが形成されている。
【００２２】
そして、電動圧縮機１０は、第１取付脚部２３からエンジンＥの第１ボス部Ｅ１に、第２取付脚部２４からエンジンＥの第２ボス部Ｅ２に、第３取付脚部２５からエンジンＥの第３ボス部Ｅ３に締結部材としてのボルトＢ３を締結することにより、エンジンＥの側面に取り付けられている。
【００２３】
図１に示すように、電動圧縮機１０において、モータハウジング１２の底壁１２ｂ側には、カバー１４に向けて突出する筒状の環状壁部１２ｅが設けられている。モータハウジング１２の底壁１２ｂには、カバー１４に向けて突出する基板支持部１２ｆが複数設けられ、基板支持部１２ｆにモータ駆動回路３０が支持されている。
【００２４】
カバー１４は、略円盤状の天板部１４ｂと、天板部１４ｂからモータハウジング１２に向けて突出する筒状の周壁部１４ｃとを備える。周壁部１４ｃとモータハウジング１２の環状壁部１２ｅとの間にガスケットＧ２が介装されている。そして、モータハウジング１２の底壁１２ｂと、環状壁部１２ｅと、カバー１４の周壁部１４ｃと、天板部１４ｂとによって収容空間Ｓが区画されている。
【００２５】
上記収容空間Ｓ内には、電動モータ１８を駆動するためのモータ駆動回路３０が収容されている。モータ駆動回路３０はインバータよりなり、図示しないエアコンＥＣＵからの指令に基づいて、図示しない電源から電動モータ１８のステータ２２に電力を供給する。
【００２６】
図２に示すように、モータ駆動回路３０は、環状壁部１２ｅの内側に収容された平板状の基板３１と、この基板３１に実装された複数種類の電気部品３４とからなっている。基板３１は、基板支持部１２ｆによって底壁１２ｂから離れた状態で環状壁部１２ｅの内側に配置されている。電気部品３４はインバータを構成する周知の部品、すなわち、スイッチング素子、電解コンデンサ、トランス、ドライバ、固定抵抗等である。電気部品３４のうちの一つのスイッチング素子３５は、電源からの直流電圧を交流電圧に変換しつつ電動モータ１８に印加する。また、スイッチング素子３５は基板３１のほぼ中央に実装されている。
【００２７】
図２の２点鎖線に示すように、基板３１には、スイッチング素子３５を配置するための素子配置領域Ｄが設定されている。素子配置領域Ｄは、図示しないスイッチング素子用基板の外形線によって囲まれる領域である。素子配置領域Ｄは、基板３１のほぼ中央に設定され、略四角形状である。なお、基板３１には、その他の電気部品３４を配置するための配置領域Ｆが予め設定され、各配置領域Ｆに、その他の電気部品３４が実装されている。
【００２８】
図１に示すように、カバー１４の天板部１４ｂは、収容空間Ｓに面する内面１４ｄと、内面１４ｄに平行で、かつ電動圧縮機１０の外に面する外面１４ｅを有する。カバー１４において、天板部１４ｂの内面１４ｄは基板３１に対し間隔を空けて平行に対向している。そして、天板部１４ｂの内面１４ｄ及び基板３１は、回転軸１６の軸線に対し垂直となるように設けられている。
【００２９】
天板部１４ｂの内面１４ｄと外面１４ｅを結ぶ方向を天板部１４ｂの厚さ方向とする。第３取付脚部２５において、第３ボルト挿通孔２５ａが貫通する方向を第１方向Ｙ１とし、第１方向Ｙ１に交差する方向を第２方向Ｙ２とする。本実施形態では、第２方向Ｙ２は第１方向Ｙ１に直交し、第３ボルト挿通孔２５ａの径方向と一致する。
【００３０】
図３又は図４に示すように、カバー１４における天板部１４ｂの外面１４ｅには、第２方向Ｙ２に第３取付脚部２５を挟むように第１リブ４１が設けられている。各第１リブ４１は、第１方向Ｙ１に長手が延びるように外面１４ｅに設けられている。各第１リブ４１は、第２方向Ｙ２に沿って第３取付脚部２５から離れた位置に設けられている。本実施形態では、一対の第１リブ４１のうち、上側の第１リブ４１は、下側の第１リブ４１に比べて第３取付脚部２５に近い位置に設けられている。
【００３１】
各第１リブ４１と、第３取付脚部２５とは互いに平行である。各第１リブ４１において、天板部１４ｂの外面１４ｅからの突出方向の先端を突出端４１ａとする。第３取付脚部２５において、天板部１４ｂの外面１４ｅからの突出方向の先端を突出端２５ｂとする。天板部１４ｂの外面１４ｅから第１リブ４１の突出端４１ａまでの寸法Ｈ１は、天板部１４ｂの外面１４ｅから第３取付脚部２５の突出端２５ｂまでの寸法Ｈ２よりも小さい。
【００３２】
カバー１４における天板部１４ｂの外面１４ｅには、第３取付脚部２５と各第１リブ４１に架け渡された第２リブ４２が複数設けられている。各第２リブ４２は、第３取付脚部２５の外面から天板部１４ｂの外面１４ｅに延在している。第２リブ４２は、第２方向Ｙ２に対向する第１リブ４１と第３取付脚部２５の側面に架け渡され、第１リブ４１と第３取付脚部２５を連結している。第２リブ４２は、第１リブ４１の突出端４１ａから第３取付脚部２５の突出端２５ｂに向けて傾斜した形状である。複数の第２リブ４２は、第１方向Ｙ１に隣り合う第２リブ４２同士の間に間隔を空けて設けられている。
【００３３】
第３取付脚部２５から一方（上側）の第１リブ４１に向けて延びる第２リブ４２と、第３取付脚部２５から他方（下側）の第１リブ４１に向けて延びる第２リブ４２とでは、第２方向Ｙ２方向への寸法が異なる。本実施形態では、第３取付脚部２５から上側の第１リブ４１に向けて延びる第２リブ４２の方が、第３取付脚部２５から下側の第１リブ４１に向けて第２リブ４２よりも短い。
【００３４】
図５に示すように、カバー１４の天板部１４ｂには、厚さ方向に沿って内面１４ｄから第３取付脚部２５の第３ボルト挿通孔２５ａに向けて凹む凹部２６が設けられている。凹部２６のうち、第１筒状部２５１及び第２筒状部２５２に向けて凹む部分は、肉抜き部２５３に向けて凹む部分よりも深く凹んでいる。
【００３５】
図３に示すように、天板部１４ｂを平面視した場合、一対の第１リブ４１を第２方向Ｙ２の両端縁とし、一対の第１リブ４１の長手方向一端同士及び長手方向他端同士を第２方向Ｙ２に繋ぐ仮想線Ｌを第１方向Ｙ１の両端縁とする四角形状の領域を、リブ配置領域Ｒとする。リブ配置領域Ｒは、第１方向Ｙ１に隣り合う第２リブ４２の間に位置するリブ間領域Ｒａも含んでいる。そして、リブ配置領域Ｒ内に第１リブ４１及び第２リブ４２が配置されている。
【００３６】
天板部１４ｂを平面視した場合において、リブ配置領域Ｒの一部は、モータ駆動回路３０の素子配置領域Ｄに重合している。このため、リブ配置領域Ｒに配置された第１リブ４１及び第２リブ４２のうち、天板部１４ｂの中央部付近に位置する上側の第１リブ４１の一部、及び上側の複数の第２リブ４２のうち、第２筒状部２５２寄りの複数の第２リブ４２の一部は、素子配置領域Ｄに重合し、スイッチング素子３５に重合している。
【００３７】
したがって、天板部１４ｂの内面１４ｄのうち、天板部１４ｂの中央部付近に位置する上側の第１リブ４１が設けられた場所、及び上側の第２リブ４２のうち、第２筒状部２５２寄りの複数の第２リブ４２が設けられた場所は、スイッチング素子３５の一部に対向している。また、凹部２６のうち、第２筒状部２５２に位置する第３ボルト挿通孔２５ａに設けて凹む部分もスイッチング素子３５に重合している。凹部２６は、リブ配置領域Ｒに配置された第３取付脚部２５の第３ボルト挿通孔２５ａに向けて凹むため、凹部２６は、リブ配置領域Ｒに配置されている。
【００３８】
上記実施形態によれば、以下のような作用効果を得ることができる。
（１）天板部１４ｂを平面視した場合、基板３１の素子配置領域Ｄに第２リブ４２の一部が重合している。そして、第２リブ４２によってカバー１４の表面積を広げ、スイッチング素子３５のスイッチング動作により生じる熱をカバー１４から収容空間Ｓ外へ効率良く放出することができる。第２リブ４２は、第３取付脚部２５を補強するために設けられている。したがって、スイッチング素子３５の温度上昇を抑制するため、例えば、収容空間Ｓを区画したカバー１４を大型化し、カバー１４の表面積を広くして放熱性を高める場合と異なり、カバー１４、ひいては電動圧縮機１０の大型化を抑制しつつスイッチング素子３５の放熱性を高めることができる。
【００３９】
（２）天板部１４ｂを平面視した場合、基板３１の素子配置領域Ｄに複数の第２リブ４２及びリブ間領域Ｒａの一部が重合している。よって、複数の第２リブ４２により、天板部１４ｂの表面積をより一層、広げることができ、スイッチング素子３５のスイッチング動作により生じる熱をカバー１４から収容空間Ｓ外へ効率良く放出することができる。
【００４０】
（３）第２リブ４２は、第３取付脚部２５の外面に連結され、天板部１４ｂには第３取付脚部２５の第３ボルト挿通孔２５ａに向けて凹む凹部２６が設けられている。そして、スイッチング素子３５のスイッチング動作により生じる熱を、凹部２６の内側から第３取付脚部２５に伝え、その第３取付脚部２５から第２リブ４２に伝えることができる。よって、カバー１４が備える第２リブ４２及び凹部２６を利用して、スイッチング素子３５のスイッチング動作により生じる熱をカバー１４から収容空間Ｓ外へ効率良く放出することができる。
【００４１】
（４）凹部２６のうち、第２筒状部２５２に位置する第３ボルト挿通孔２５ａに向けて凹む部分は、肉抜き部２５３に向けて凹む部分よりも深く凹む。その第２筒状部２５２に位置する第３ボルト挿通孔２５ａに向けて凹む部分が素子配置領域Ｄに重合しているため、スイッチング素子３５に生じた熱を凹部２６へ効果的に逃がすことができる。
【００４２】
（５）電動圧縮機１０は、第１〜第３取付脚部２３〜２５からエンジンＥの第１〜第３ボス部Ｅ１〜Ｅ３にボルトＢ３を締結することにより、エンジンＥに取り付けられている。第３取付脚部２５はカバー１４の天板部１４ｂに設けられ、天板部１４ｂは板状である。このため、第３取付脚部２５の第３ボルト挿通孔２５ａに挿通されたボルトＢ３を第３ボス部Ｅ３に締結した際、軸力によって天板部１４ｂが撓みやすいが、第１リブ４１及び第２リブ４２によって天板部１４ｂの撓みを抑制でき、ガスケットＧ２によって収容空間Ｓをシールした状態を維持できる。
【００４３】
（６）電動圧縮機１０は、第３取付脚部２５に連結された第２リブ４２に加え、第２リブ４２に連結された第１リブ４１を備える。よって、第１リブ４１及び第２リブ４２によってカバー１４の表面積を広げ、スイッチング素子３５のスイッチング動作により生じる熱をカバー１４から収容空間Ｓ外へ効率良く放出することができる。
【００４４】
（７）第１リブ４１の寸法Ｈ１は、第３取付脚部２５の寸法Ｈ２よりも小さい。そして、第２リブ４２は、第１リブ４１の突出端４１ａから第３取付脚部２５の突出端２５ｂに向けて斜めに延びる形状である。よって、第２リブ４２の表面積を広くして、第２リブ４２の放熱性を高めることができる。
【００４５】
なお、上記実施形態は以下のように変更してもよい。
○  第２リブ４２は、素子配置領域Ｄと重合していれば、第３取付脚部２５を第２方向Ｙ２に挟むように一つずつ設けられていてもよい。また、第２リブ４２は、第３取付脚部２５を第２方向Ｙ２に挟む位置の片側だけに設けられていてもよい。
【００４６】
○  天板部１４ｂを平面視した場合、素子配置領域Ｄに全ての第２リブ４２の全体が重合するように第２リブ４２を設けてもよい。
○  第２リブ４２の数は適宜変更してもよい。
【００４７】
○  第１方向Ｙ１に隣り合う第２リブ４２同士の間隔は適宜変更してもよい。
○  第３取付脚部２５から上側の第１リブ４１に向けて延びる第２リブ４２と、第３取付脚部２５から下側の第１リブ４１に向けて延びる第２リブ４２とで、第２方向Ｙ２への寸法を同じにしてもよい。
【００４８】
○  第３取付脚部２５の第１方向Ｙ１に対し、第２リブ４２が交差する角度は適宜変更してもよい。
○  第１リブ４１は無くてもよい。
【００４９】
○  天板部１４ｂの内面１４ｄから凹む凹部２６は無くてもよい。
○  凹部２６の深さは、何れの場所で同じであってもよい。
○  第３取付脚部２５の肉抜き部２５３は無くてもよい。
【００５０】
○  カバー１４は、周壁部１４ｃを備えず、天板部１４ｂだけの構成であってもよい。
○  圧縮部１７は、固定スクロール１７ａと可動スクロール１７ｂとで構成されるタイプに限らず、例えば、ピストンタイプやベーンタイプなどに変更してもよい。
【００５１】
○  ハウジング１１には取付脚部がさらに設けられていてもよい。
○  電動圧縮機１０は、第１〜第３取付脚部２３〜２５の第１〜第３ボルト挿通孔２３ａ〜２５ａに挿通したボルトＢ３をエンジンＥ以外、例えば、エンジンルームを構成する部材に締結して取り付けられていてもよい。
【符号の説明】
【００５２】
Ｄ…素子配置領域、Ｓ…収容空間、Ｂ１，Ｂ２，Ｂ３…ボルト、Ｙ１…第１方向、Ｙ２…第２方向、１０…電動圧縮機、１１…ハウジング、１４…カバー、１４ｂ…天板部、１４ｄ…内面、１４ｅ…外面、１６…回転軸、１７…圧縮部、１８…電動モータ、２５…第３取付脚部、２５ａ…第３ボルト挿通孔、２６…凹部、３１…基板、３５…スイッチング素子、４２…第２リブ。
【図１】
2019178673.tif 000003
【図２】
2019178673.tif 000004
【図３】
2019178673.tif 000005
【図４】
2019178673.tif 000006
【図５】
2019178673.tif 000007